(57)【要約】 【課題】  封止工程の際に飛び散った封止剤が接極子とコアの当接部に付着することによる動作障害の発生を防ぐことができる電磁継電器を提供すること。【解決手段】  電磁石１、一端をコア８の一端面に固着し且つ他端をコア８の開放端面に対向する開放端とするヨーク２、可動接点５ｂを有する可動接点ばね５ａ、ヨーク２の開放端に中央部を接しコア８を励磁するとき一方の端部がコア８の開放端面に接し他方の端部が可動接点ばね５ａに当接する接極子３、接極子３の中央部をヨーク２の開放端位置で抑える復帰ばね１４、前記可動接点ばねの押圧により可動接点５ｂと当接される固定接点を保持した固定接点ばね５によって構成され、復帰ばね１４には、ハウジング嵌合部と接極子３とコア８の当接部との間に位置するように遮蔽板１４ａが一体として設けてあり、ハウジング(Ａ)１１ａとハウジング(Ｂ)１１ｂに固定される。【選択図】  図１
2007165179.tif 000002
【特許請求の範囲】
【請求項１】
電磁石と、該電磁石に並置され一端を前記電磁石のコアの一端面に固着し他の一端（開放端）を前記コアの他の端面（開放端面）付近に配置したヨークと、可動接点を有する可動接点ばねと、中央部が前記ヨークの開放端に接し前記電磁石の励磁により回転して一端部が前記コアの開放端面に当接し他端部が前記可動接点ばねと当接する接極子と、該接極子の中央部を前記ヨークの開放端位置で抑える復帰ばねと、前記可動接点ばねの押圧により前記可動接点と当接される固定接点とを有する電磁継電器本体と、該電磁継電器本体を固定するための嵌合用の穴と突起を持つ一対のハウジングと、通気孔を有し前記電磁継電器本体が固定された前記ハウジングを収納するケースとからなり、前記一対のハウジングの嵌合部および前記ケースと前記ハウジングとの間の間隙を封止剤で封止し且つ前記通気孔を封じた封止型電磁継電器において、前記接極子と前記コアの開放端面とが当接する部分と前記ハウジングの嵌合部との間に遮蔽板を設けたことを特徴とする電磁継電器。
【請求項２】
前記遮蔽板は前記復帰ばねに一体として設けられていることを特徴とする電磁継電器。
【請求項３】
前記遮蔽板は前記ハウジングに一体として設けられていることを特徴とする電磁継電器。
【発明の詳細な説明】
【技術分野】
【０００１】
本発明は一般に通信用および制御用の機器に使用される電磁継電器に関する。
【背景技術】
【０００２】
電磁継電器は通信機器、自動車の電装部品や家庭電気製品などの分野で広く使用されており、一般的にその信頼性を確保するため電磁継電器本体を成す電磁機構部分や接点部分は気密封止されている。
【０００３】
従来の電磁継電器の構造は下記の特許文献１などに示されており、その構造を図３に示す。図３（ａ）は電磁継電器全体の断面図であり、図３（ｂ）は電磁継電器本体を固定するための一対のハウジングの図３（ａ）と直交する方向の側面図、図３（ｃ）は電磁継電器の構成部品である復帰ばねの斜視図、図３（ｄ）は電磁継電器本体を固定したハウジングをケースに収納し底面より見た斜視図であり封止剤を注入する工程を示す。
【０００４】
図３（ａ）において、この電磁継電器本体は、コア８に巻線９を巻きつけた電磁石１、この電磁石１に並置され一端をコア８の一端面に固着し且つ他端をコア８の他端面（開放端面）に対向する開放端とするヨーク２、可動接点５ｂを有する可動接点ばね５ａ、ヨーク２の開放端に中央部を接し巻線９に通電してコア８を励磁するとき一方の端部がコア８の開放端面に接し他方の端部がその端部上に設けたスタッド３ａを介して可動接点ばね５ａに接するように配した接極子３と、接極子３の中央部をヨーク２の開放端位置で抑える復帰ばね４と、前記可動接点ばねの押圧により可動接点５ｂと当接される固定接点を保持した固定接点ばね５によって構成されている。
【０００５】
なお、この電磁継電器は可動接点と固定接点は各２個が各々対抗する位置に配置され、その接点組を２連有しているが、図３（ａ）ではその片側半分だけが示されている。
【０００６】
図３（ｂ）に示されるように上記電磁継電器本体は１対のハウジング(Ａ)１１ａおよびハウジング(Ｂ)１１ｂに固定される。固定接点ばね５と図３（ｃ）に示される復帰ばね４は、それらの一部がハウジング(Ａ)１１ａおよびハウジング(Ｂ)１１ｂで覆われて固定される。ハウジング(Ａ)１１ａとハウジング(Ｂ)１１ｂはハウジング(Ａ)１１ａに設けられた嵌合用穴１１ｃとハウジング(Ｂ)１１ｂに設けられた嵌合用突起１１ｄを嵌合させることによって固定されて、サブ組立品となる。図３（ａ）、図３(ｄ)に示されるようにサブ組立品の全体がケース７で覆われ、ハウジング(Ａ)１１ａとハウジング(Ｂ)１１ｂとの間の嵌合部およびそれらとケース７との間の間隙は熱硬化性の封止剤１０にて封止される。またケースに設けられた通気孔７ａも最後に封止される。
【０００７】
【特許文献１】特開平５−２９０７０３号公報
【発明の開示】
【発明が解決しようとする課題】
【０００８】
この従来の電磁継電器では、図３（ｄ）に示すように底面を上にした状態でハウジングおよびケースの間隙部に熱硬化性の封止剤を注入し加熱することにより封止を行う。封止剤はハウジング(Ａ)１１ａとハウジング(Ｂ)１１ｂの合わせ目に注入されるので、封止剤の注入時にハウジング(Ａ)１１ａの嵌合用穴１１ｃ内にある空気が加熱前の封止剤中に気泡となって存在する。その状態で加熱すると気泡が加熱中に破裂し完全に硬化していない液状の封止剤が飛び散って内部へ入ることがある。無励磁の状態では、可動接点ばね５ａが接極子３のスタッド３ａ側の端部を電磁石１側へ抑えているため、接極子３の他端部とコア８の開放端面との間には空間がある。嵌合用穴１１ｃはこの空間の真上にあるので気泡破裂が起こると、コア８の開放端面または接極子３の他端部に完全に硬化していない液状の封止剤が付着し、組立完了後電磁継電器の正常な動作を妨げるという問題があった。
【０００９】
そこで本発明の課題は、封止工程の際に飛び散った封止剤が接極子とコアの当接部に付着することによる動作障害の発生を防ぐことができる電磁継電器を提供することにある。
【課題を解決するための手段】
【００１０】
上記課題を解決するために、本発明の電磁継電器は、電磁石と、該電磁石に並置され一端を前記電磁石のコアの一端面に固着し他の一端（開放端）を前記コアの他の端面（開放端面）付近に配置したヨークと、可動接点を有する可動接点ばねと、中央部が前記ヨークの開放端に接し前記電磁石の励磁により回転して一端部が前記コアの開放端面に当接し他端部が前記可動接点ばねと当接する接極子と、該接極子の中央部を前記ヨークの開放端位置で抑える復帰ばねと、前記可動接点ばねの押圧により前記可動接点と当接される固定接点とを有する電磁継電器本体と、該電磁継電器本体を固定するための嵌合用の穴と突起を持つ一対のハウジングと、通気孔を有し前記電磁継電器本体が固定された前記ハウジングを収納するケースとからなり、前記一対のハウジングの嵌合部および前記ケースと前記ハウジングとの間の間隙を封止剤で封止し且つ前記通気孔を封じた封止型電磁継電器において、前記接極子と前記コアの開放端面とが当接する部分と前記ハウジングの嵌合部との間に遮蔽板を設けている。
【００１１】
本発明では、前記遮蔽板は前記復帰ばねに一体として設けられていてもよい。
【００１２】
また、前記遮蔽板は前記ハウジングに一体として設けられていてもよい。
【発明の効果】
【００１３】
本発明では、上記のように接極子および前記コアの開放端面とハウジングの嵌合部との間に遮蔽板を設けることによって封止工程の際に完全に硬化していない液状の封止剤が接極子とコアの当接部に付着することを防ぎ、組立完了後の電磁継電器の動作障害を防ぐことができる。
【発明を実施するための最良の形態】
【００１４】
以下、本発明の最良の実施の形態を実施例に基づいて説明する。
【実施例１】
【００１５】
図１は本発明の実施例１による電磁継電器の示す図であり、図１（ａ）は電磁継電器全体の断面図であり、図１（ｂ）は電磁継電器本体を固定するための一対のハウジングの図１（ａ）と直交する方向の側面図、図１（ｃ）は復帰ばねの斜視図である。
【００１６】
図３の従来の電磁継電器と同様に、図１（ａ）において、電磁継電器本体は、コア８に巻線９を巻きつけた電磁石１、この電磁石１に並置され一端をコア８の一端面に固着し且つ他端をコア８の他端面（開放端面）に対向する開放端とするヨーク２、可動接点５ｂを有する可動接点ばね５ａ、ヨーク２の開放端に中央部を接し巻線９に通電してコア８を励磁するとき一方の端部がコア８の開放端面に接し他方の端部がその端部上に設けたスタッド３ａを介して可動接点ばね５ａに接するように配した接極子３と、接極子３の中央部をヨーク２の開放端位置で抑える復帰ばね１４と、前記可動接点ばねの押圧により可動接点５ｂと当接される固定接点を保持した固定接点ばね５によって構成されている。
【００１７】
さらに図１（ｂ）に示されるように上記電磁継電器本体は１対のハウジング(Ａ)１１ａおよびハウジング(Ｂ)１１ｂに固定される。ハウジング(Ａ)１１ａとハウジング(Ｂ)１１ｂはハウジング(Ａ)１１ａに設けられた嵌合用穴１１ｃとハウジング(Ｂ)１１ｂに設けられた嵌合用突起１１ｄを嵌合させることによって固定されて、サブ組立品となる。
【００１８】
但し、本実施例においては復帰ばね１４には、図１（ｃ）に示すように遮蔽板１４ａが一体として設けてあり、遮蔽板１４ａは嵌合用穴１１ｃと嵌合用突起１１ｄの組み合わせからなるハウジング嵌合部と、接極子３とコア８の開放端面の当接部との間に位置するようにハウジング(Ａ)１１ａとハウジング(Ｂ)１１ｂに固定される。
【００１９】
図３（ａ）に示されるようにサブ組立品の全体がケース７で覆われ、ハウジング(Ａ)１１ａとハウジング(Ｂ)１１ｂとの間の嵌合部およびそれらとケース７との間の間隙は熱硬化性の封止剤１０にて封止される。またケースに設けられた通気孔７ａも最後に封止される。
【００２０】
本実施例の電磁継電器の動作は、巻線９に通電することによってコア８が励磁され接極子３のコア８の開放端面に近接する端部を吸引するので接極子３が矢印方向に回転動作し、他端部にあるスタッド３ａが可動接点ばね５ａを電磁石１から離れる方向に押し、可動接点５ｂを電磁石１側の固定接点ばね５から反対側へ移動させて接点回路の開閉を行う。通電を止めるとスタッド３ａは下がり可動接点ばね５ａの弾性によって可動接点５ｂは電磁石１側の固定接点に戻る。
【００２１】
封止工程において、封止剤は底面部を上にした状態でハウジングの合わせ目に注入され、封止剤を硬化させるために電磁継電器全体が加熱される。封止剤が注入される際、ハウジングの嵌合用穴１１ｃ内にある空気が加熱前の封止剤中に気泡となって存在する。その状態で加熱すると気泡が加熱中に破裂し完全に硬化していない液状の封止剤が飛び散り、内部の接極子３やコア８に付着することがある。動作時、接極子３はコア８に吸引され接触するのでここに完全に硬化していない粘着性を持つ封止剤が付着すると、動作障害や動作したまま復帰しないなどの問題が起こる。
【００２２】
しかし、本実施例では復帰ばね１４に設けた遮蔽板１４ａがハウジング嵌合部と接極子３とコア８の当接部との間に位置することにより、封止剤が飛び散っても遮蔽板１４ａによって内部への飛散が防止され接極子３とコア８との間に封止剤が入り込まないので、動作障害などの問題を防ぐことができる。
【実施例２】
【００２３】
図２は本発明の実施例２による電磁継電器を示す図であり、図２（ａ）は電磁継電器全体の断面図であり、図２（ｂ）は電磁継電器本体を固定するための一対のハウジングの図２（ａ）と直交する方向の側面図である。
【００２４】
本実施例の電磁継電器本体の構造は図３に示した従来の電磁継電器本体の構造と同じであるが、本実施例においては電磁継電器本体を固定するハウジング(Ａ)２１ａに、図２（ｂ）に示すような遮蔽板２１ｅを一体として設けていることが異なっている。遮蔽板２１ｅは嵌合用穴２１ｃと嵌合用突起１１ｄの組み合わせからなるハウジングの嵌合部を覆いその嵌合部と、接極子３とコア８の開放端面の当接部との間に位置している。
【００２５】
本実施例においても封止工程において封止剤の飛散が起こっても、ハウジングに設けた遮蔽板２１ｅがハウジング嵌合部と接極子とコアの当接部との間に位置することにより封止剤の内部への飛散を防ぎ、接極子３とコア８との間に封止剤が入り込まないので、動作障害などの問題を防ぐことができる。
【００２６】
なお、本発明の実施例は上記の実施例に限定されるものではないことはいうまでもなく、遮蔽板の形状、設置位置などは本発明の目的である封止剤の飛散を防止できるものであればよい。また、上記実施例に示した復帰ばねやハウジングと異なる部品と一体化した遮蔽板であってもよく、他の構成部品から独立した遮蔽板の使用も可能である。
【図面の簡単な説明】
【００２７】
【図１】本発明の実施例１による電磁継電器を示す図、図１（ａ）は電磁継電器全体の断面図、図１（ｂ）は電磁継電器本体を固定するための一対のハウジングの図１（ａ）と直交する方向の側面図、図１（ｃ）は復帰ばねの斜視図。
【図２】本発明の実施例２による電磁継電器を示す図、図２（ａ）は電磁継電器全体の断面図、図２（ｂ）は電磁継電器本体を固定するための一対のハウジングの図２（ａ）と直交する方向の側面図。
【図３】従来の電磁継電器を示す図、図３（ａ）は電磁継電器全体の断面図、図３（ｂ）は電磁継電器本体を固定するための一対のハウジングの図３（ａ）と直交する方向の側面図。図３（ｃ）は復帰ばねの斜視図。図３（ｄ）は、電磁継電器本体を固定したハウジングをケースに収納し底面より見た斜視図。
【符号の説明】
【００２８】
１    電磁石
２    ヨーク
３    接極子
３ａ    スタッド
４，１４    復帰ばね
１４ａ    遮蔽板
５    固定接点ばね
５ａ    可動接点ばね
５ｂ    可動接点
６    コモン端子
７    ケース
７ａ    通気孔
８    コア
９    巻線
１０    封止剤
１１ａ，２１ａ    ハウジング（Ａ）
１１ｂ    ハウジング（Ｂ）
１１ｃ，２１ｃ    嵌合用穴
１１ｄ    嵌合用突起
２１ｅ    遮蔽板
【図１】
2007165179.tif 000003
【図２】
2007165179.tif 000004
【図３】
2007165179.tif 000005